(57)【特許請求の範囲】
【請求項１】
本体外面に配した吸気口と排気口と、本体内に配した複数の加熱コイルと、前記複数の加熱コイルの駆動回路ユニットと、前記吸気口と通気路で繋がったファンユニットと、前記ファンユニットから遠い側の加熱コイル側に通じるコイル送風路と、前記ファンユニットから遠い側の加熱コイルを固定し外周部に下向きに膨らんだ凹部を有する加熱コイル支持台とを備え、前記ファンユニット吹出し口の送風を前記駆動回路ユニット側と前記コイル送風路入り口側に分割し送風し、前記コイル送風路出口の天面高さを前記加熱コイル支持台外周裏面よりも低くして、前記コイル送風路の吹出し風を前記加熱コイル支持台の裏面側に送風するとともに、前記加熱コイル支持台下方の空間で前記凹部の内側に位置しかつ前記コイル送風路の吹出し風に対向し前記吹出し風を前記加熱コイル裏面側に寄せるための壁面を前記支持板上に設けた誘導加熱調理器。
【請求項２】
加熱コイル支持台は外周部に下向きに膨らんだ凹部と、前記凹部に収納した加熱コイルの漏れ磁界吸収部材とを備え、前記加熱コイルの漏れ磁界吸収部材の一部を前記凹部から露出する請求項１記載の誘導加熱調理器。
【発明の詳細な説明】
【０００１】
【発明の属する技術分野】
本発明は、誘導加熱調理器の構成に関するものである。
【０００２】
【従来の技術】
図６、図７に従来の誘導加熱調理器を示す。
【０００３】
本体１には２個の加熱コイル２、３と、ラジェントヒータ４と、ロースター５と、ロースター５と反対側に多層に配した加熱コイル２、３を駆動する駆動回路ユニット６、７と、その奥方の冷却ファンユニット８と、吸気口９と、排気口１０とを備えるものであった。冷却ファンユニット８は両端面に吸い込み口を設けた円筒状の多翼のファン１１と、モータ１２と、ファン１１およびモータ１２周囲のケーシング１３から成っている。
【０００４】
モータ１２は、駆動回路ユニット６、７に効果的に送風するためファン１１を駆動回路ユニット６、７のほぼ中間の位置に配するためファン１１の上側に配している。
【０００５】
加熱コイル２、３の定格消費電力は同じで、部品ユニットが共用化されている。
【０００６】
【発明が解決しようとする課題】
以上従来のものにおいて、２つの駆動回路ユニット６、７を上下２段に配するのは、スイッチング素子など発熱部品を効果的に冷却するためファンユニット８の吹き出し高さを占めるように配列し、ファン送風の多くが駆動回路ユニット６、７に送風するためである。このため、特にファンユニット８から遠い側の加熱コイル３には強く送風することが難しかった。このため、例えばファンユニット８から遠い側の加熱コイル３の出力をファンユニット８に近い側よりも大きくすることは、自己発熱が大きくなり加熱コイル３の温度上昇を抑えることが難しかった。
【０００７】
また、ファンユニット８から遠い側にはロースター５があり、その上に加熱コイル３が配されており、加熱コイル３がロースター５の輻射熱を受け温度が高くなりやすかった。
【０００８】
本発明は上記課題を解決するもので、ファンユニットから遠い側の加熱コイルにファンユニットの吹出し風を直接かつ確実に分配送風し、ファンユニットから遠い側に配した、自己発熱が大きくなる大出力の加熱コイルの温度上昇を抑えるものである。
【０００９】
【課題を解決するための手段】
前記課題を解決するために本発明の誘導加熱調理器は、本体外面に配した吸気口と排気口と、本体内に配した複数の加熱コイルと、前記複数の加熱コイルの駆動回路ユニットと、前記吸気口と通気路で繋がったファンユニットと、前記ファンユニットから遠い側の加熱コイル側に通じるコイル送風路と、前記ファンユニットから遠い側の加熱コイルを固定し外周部に下向きに膨らんだ凹部を有する加熱コイル支持台とを備え、前記ファンユニット吹出し口の送風を前記駆動回路ユニット側と前記コイル送風路入り口側に分割し送風し、前記コイル送風路出口の天面高さを前記加熱コイル支持台外周裏面よりも低くして、前記コイル送風路の吹出し風を前記加熱コイル支持台の裏面側に送風するとともに、前記加熱コイル支持台下方の空間で前記凹部の内側に位置しかつ前記コイル送風路の吹出し風に対向し前記吹出し風を前記加熱コイル裏面側に寄せるための壁面を前記支持板上に設けたもので、加熱コイル上面側の温度センサーが冷却されることを小さくしつつ、凹部内周側の加熱コイル裏面に当たる冷却風を強くし、加熱コイルの冷却性能を向上することができるものである。
【００１０】
【発明の実施の形態】
請求項１に記載の発明は、本体外面に配した吸気口と排気口と、本体内に配した複数の加熱コイルと、前記複数の加熱コイルの駆動回路ユニットと、前記吸気口と通気路で繋がったファンユニットと、前記ファンユニットから遠い側の加熱コイル側に通じるコイル送風路と、前記ファンユニットから遠い側の加熱コイルを固定し外周部に下向きに膨らんだ凹部を有する加熱コイル支持台とを備え、前記ファンユニット吹出し口の送風を前記駆動回路ユニット側と前記コイル送風路入り口側に分割し送風し、前記コイル送風路出口の天面高さを前記加熱コイル支持台外周裏面よりも低くして、前記コイル送風路の吹出し風を前記加熱コイル支持台の裏面側に送風するとともに、前記加熱コイル支持台下方の空間で前記凹部の内側に位置しかつ前記コイル送風路の吹出し風に対向し前記吹出し風を前記加熱コイル裏面側に寄せるための壁面を前記支持板上に設けたものである。
【００１８】
請求項１に記載の発明は、本体外面に配した吸気口と排気口と、本体内に配した複数の加熱コイルと、前記複数の加熱コイルの駆動回路ユニットと、前記吸気口と通気路で繋がったファンユニットと、前記ファンユニットから遠い側の加熱コイル側に通じるコイル送風路と、前記ファンユニットから遠い側の加熱コイルを固定し外周部に下向きに膨らんだ凹部を有する加熱コイル支持台とを備え、前記ファンユニット吹出し口の送風を前記駆動回路ユニット側と前記コイル送風路入り口側に分割し送風し、前記コイル送風路出口の天面高さを前記加熱コイル支持台外周裏面よりも低くして、前記コイル送風路の吹出し風を前記加熱コイル支持台の裏面側に送風するとともに、前記加熱コイル支持台下方の空間で外周部の下向きに膨らんだ凹部の内側に、コイル送風路の吹出し風に対向し前記吹出し風を前記加熱コイル裏面側に寄せるための壁面を前記支持板上に設けたものである。
【００１９】
これにより、加熱コイル上面側の温度センサーが冷却されることを小さくしつつ、凹部内周側の加熱コイル裏面に当たる冷却風を強くし、加熱コイルの冷却性能を向上できる。
【００２０】
請求項２に記載の発明は請求項１において、加熱コイル支持台は外周部に下向きに膨らんだ凹部と、前記凹部に収納した加熱コイルの漏れ磁界吸収部材とを備え、前記加熱コイルの漏れ磁界吸収部材の一部を前記凹部から露出したものである。
【００２１】
これにより、発光部材を遮光しつつ、発熱する漏れ磁界吸収部材の放熱を向上し、漏れ磁界吸収部材と発光部材の温度低減を同時に図る。
【００２２】
【実施例】
以下、本発明の参考例について、図１〜３を参照しながら説明する。
【００２３】
（参考例１）
図１は本発明の第１の参考例における誘導加熱調理器を示すものである。図１のＡ−Ａ断面を図２に、Ｂ−Ｂ断面を図３に示す。図１、図２、図３において、本体２１は外郭２２と天板ユニット２３とが一体になり、外郭２２の内部に第１の加熱コイル２４と、第２の加熱コイル２５と、ラジェントヒータ２６と、庫内に電熱ヒータ２７を備えたロースター２８とを備えている。ロースター２８と反対側空間には、加熱コイル２４、２５の駆動回路ユニット２９、３０を、その下方には、駆動回路ユニット２９、３０の動作を制御する制御回路ユニット３１を備えている。
【００２４】
これら駆動回路ユニット２９、３０および制御回路ユニット３１の奥方にはファンユニット３２を、天板ユニット２３後方には吸気口３３と、排気口３４とを備えている。ファンユニット３２と吸気口３３とは通気路３５でつながっている。
【００２５】
また、駆動回路ユニット２９、３０の上方にはファンユニット３２の送風を駆動回路ユニット２９、３０側に案内する回路ユニットカバー３６を備え、回路ユニットカバー３６には、ファンユニット３２から遠い側である第２の加熱コイル２５側に通じるダクト状のコイル送風路３７を一体に備えており、ファンユニット３２の送風は吹出し口直後で直接、回路ユニットカバー３６の下方空間でコイル送風路３７の入り口側と、残りの部分は駆動回路ユニット２９、３０側とに分割して送風される。そして、ファンユニット３２から遠い側の第２の加熱コイル２５はファンユニット３２に近い側の第１の加熱コイルより大出力としている。
【００２６】
また、２個の駆動回路ユニット２９、３０位置は、ファンユニット３２の吹出し口下端付近に配している。
【００２７】
また、第１の加熱コイル２４および第２の加熱コイル２５は、第１の加熱コイル支持台４０および第２の加熱コイル支持台４１に固定され、コイル送風路３７は天面を補強板３８で構成し、コイル送風路３７出口の天面３９の高さをファンユニット３２から遠い側である第２の加熱コイル支持台４１の外周裏面４２よりも低くし、コイル送風路３７の吹出し風を加熱コイル支持台４１の裏面側に送風している。
【００２８】
第２の加熱コイル支持台４１は外周部に下向きに膨らんだ凹部４３を備え、凹部４３の内側に、第２の加熱コイル２５の漏れ磁界吸収部材４４とその外方に通電を表示する発光部材４５を収納している。なお、第１の加熱コイル支持台４０についても同様の構成である。
【００２９】
ファンユニット３２の中には、上下両方向から吸い込み中間に仕切り板４６を供えた遠心型のファン４７を備え、コイル送風路３７の入り口下面４８の高さ位置は仕切り板４６付近になっている。
【００３０】
回路ユニットカバー３６には、第１の加熱コイル２４の裏面位置に排出口４９を設け、駆動回路ユニット２９、３０を冷却しながら通過した風は排出口４９を通り、第１の加熱コイル２４を裏面から冷却する。
【００３１】
以上の構成において、回路ユニットカバー３６と一体に構成されたコイル送風路３７の入り口には、ファン４７の上側吸込みから吐出される送風の大部分が直接送り込まれ、ファンユニット３２から遠い側である第２の加熱コイル２５には、ファンユニット３２から吹出された直後の温度上昇が小さい冷却風を十分に送ることができる。
【００３２】
以上から、第２の加熱コイル２５は、ファンユニット３２側の第１の加熱コイル２４よりも大出力としているため、自己発熱が大きくなるが、温度上昇が殆どないファンユニット３２の吹出し風を直接かつ確実に送風でき、ファンユニット３２から遠い側である第２の加熱コイル２５の冷却を容易にし、反対側でファンユニット３２に近い側の第１の加熱コイル２４と同等に温度上昇を抑えることができる。
【００３３】
また、第２の加熱コイル２５はロースター２８の上であっても、強い冷却風を確保できるので、ロースター２８の輻射熱による温度上昇を低減し、大出力とした第２の加熱コイル２５を容易に冷却できる。
【００３４】
次に、本参考例の第２の作用を述べる。
【００３５】
駆動回路ユニット２９、３０の高さ位置をファンユニット３２吹出し口の下端付近に配し、駆動回路ユニット２９、３０の動作を制御する制御回路ユニット３１を駆動回路ユニット２９、３０の下方に配したものである。
【００３６】
これにより、電気的回路を構成する駆動回路ユニット２９、３０と制御回路ユニット３１のうち、大電流が流れるインバータ回路を構成するスイッチング素子や共振コンデンサなど、自己発熱が大きい部品を搭載した駆動回路ユニット２９、３０に主に送風でき、良好な部品の冷却を実現できる。つまり、自己発熱が大きい部品を搭載した駆動回路ユニット２９、３０と、２個の加熱コイル２４、２５のうちファンユニット３２から遠い側に配し、他方より高出力とするため自己発熱が大きい加熱コイル２５を主に冷却することができる。
【００３７】
また、ファンユニット３２側の第１の加熱コイル２４は、駆動回路ユニット２９、３０を通過し、回路ユニットカバー３６に設けた排出口４９を通して送風し、送風量を確保して裏面から冷却される。駆動回路ユニット２９、３０を通過し第１の加熱コイル２４への送風温度が上昇していても、第１の加熱コイル２４は第２の加熱コイル２５よりも小出力のため自己発熱が小さいので、送風量を確保することで十分冷却できる。以上のように、本体２１内で主に冷却を要する部分である駆動回路ユニット２９、３０と、第１の加熱コイル２４と、第２の加熱コイル２５とに主に送風して、良好な冷却構成を実現できる。
【００３８】
次に、本参考例の第３の作用を述べる。
【００３９】
コイル送風路３７出口の天面３９高さを、ファンユニット３２から遠い第２の加熱コイル支持台４１外周裏面４２よりも低くし、コイル送風路３７の吹出し風を第２の加熱コイル支持台の裏面側に送風するものである。
【００４０】
これにより、コイル送風路３７出口先方の第２加熱コイル２５には裏面に主に送風され、裏面から主に冷却されるので、第２の加熱コイル２５上面側に配された温度センサー５０−ａには冷却風が当たりにくく強く冷却されないので、トッププレート５１に載せた鍋など被加熱物の温度変化に追従しやすく、検知感度の低下を避けることができる。
【００４１】
なお、第１の加熱コイル２４は、駆動回路ユニット２９、３０を通過し、回路ユニットカバー３６に設けた排出口４９を通った冷却風により、裏面から冷却されるので、第１の加熱コイル２４上面側に配された温度センサー５０−ｂにも冷却風が当たりにくく、トッププレート５１に載せた鍋など被加熱物の温度変化に追従しやすく、検知感度の低下を避けることができる。
【００４２】
次に、本参考例の第４の作用を述べる。
【００４３】
第２の加熱コイル支持台４１外周部４２を下向きに膨らんだ凹部４３としてその内部に部品収納空間を設け、凹部４３内にアルミニウムあるいは銅など非磁性金属を主材料としたリング状の、第２の加熱コイル２５の漏れ磁界吸収部材４４と、第２の加熱コイル２５の通電を表示する、光透過性樹脂を主材料とした発光部材４５を収納するを設けたものである。
【００４４】
これにより、第２の加熱コイル支持台４１裏面外周の凹部４３により、ロースター２８との仕切りを成す、支持板５２との隙間が図３のＤに狭められ、送風抵抗が増大するが、隙間Ｄを通過し、第２の加熱コイル２５裏面に達する送風力が得られている。つまり、回路ユニットカバー３６と一体の構成されたコイル送風路３７の入り口には、ファン４７の上側吸込みから吐出される送風の大部分が直接送り込まれ、ファンユニット３２から遠い側である第２の加熱コイル２５には、ファンユニット３２から吹出された直後の温度上昇が小さい冷却風を、ファン４７の送風圧力を伴って十分に送る構成としている。
【００４５】
以上のように、第２の加熱コイル支持台４１外周部４２の凹部４３内に、漏れ磁界吸収部材４４や、第２の加熱コイル２５の通電を表示する発光部材４５を収納し、漏れ電磁波低減や、通電状態がわかる表示手段の設置を容易にし、かつ、第２の加熱コイル２５上面側の温度センサー５０−ａが強く冷却されることを避けながら、凹部４３の送風抵抗にうち勝つ程度まで加熱コイル裏面からの冷却能力を確保できる。
【００４６】
なお、第１の加熱コイル支持台４０についても同様に、凹部４３、漏れ磁界吸収部材、発光部材を設けてもよい。
【００４７】
（実施例１）
図４は、本発明の第１の実施例における誘導加熱調理器の断面図を示す。
【００４８】
図４において、本体２１、外郭２２、天板ユニット２３、第１の加熱コイル２４、第２の加熱コイル２５、ラジェントヒータ２６、電熱ヒータ２７、ロースター２８、駆動回路ユニット２９、３０、制御回路ユニット３１、ファンユニット３２、吸気口３３、排気口３４、通気路３５、回路ユニットカバー３６、コイル送風路３７、補強板３８、コイル送風路出口の天面３９、第１の加熱コイル支持台４０、第２の加熱コイル支持台４１、第２の加熱コイル支持台４１の外周裏面４２、凹部４３、漏れ磁界吸収部材４４、発光部材４５、仕切り板４６、ファン４７、コイル送風路３７の入り口下面４８、排出口４９、温度センサー５０−ａ、５０−ｂ、トッププレート５１、支持板５２は前記第１の参考例と同様なものである。
【００４９】
前記第１の参考例と異なるのは以下である。
【００５０】
第２の加熱コイル支持台４１下方と支持板５２との空間で、凹部４３の内側の位置に、支持板５２上にコイル送風路３７の吹出し風に対向する壁面５３を設けたものである。
【００５１】
これにより、コイル送風路３７の吹出し風は、主に第２の加熱コイル支持台４１下方と支持板５２との空間に吹き出し、壁面５３に当たることで上側すなわち、第２の加熱コイル２５裏面側に寄せられるので、第２の加熱コイル２５裏面を強く冷却する。従って、第２の加熱コイル２５上面側の温度センサー５０−ａが冷却されることを小さくしつつ、凹部４３内周側になる第２の加熱コイル支持台４１の外周裏面４２よりも奥まった位置にある、第２の加熱コイル２５裏面に当たる冷却風を強でき、ファンユニット３２から遠い位置にある第２の加熱コイル２５の冷却性能を向上できる。
【００５２】
（実施例２）
図５は、本発明の第２の実施例における誘導加熱調理器の要部断面図を示す。
【００５３】
図５において、第２の加熱コイル２５、第２の加熱コイル支持台４１、第２の加熱コイル支持台４１の外周裏面４２、凹部４３、漏れ磁界吸収部材４４、発光部材４５、支持板５２は前記第１の参考例と同様なものである。
【００５４】
前記第１の参考例と異なるのは以下である。
【００５５】
第２の加熱コイル支持台４１の外円周に位置する凹部４３の周上に分散して、スリット状の切り欠き部５４を設け、収納した漏れ磁界吸収部材４４の一部を、凹部４３から露出した点である。切り欠き部５４の発光部材４５側の端面位置５５は、発光部材４５が露出しない位置で止められている。
【００５６】
漏れ磁界吸収部材４４の発熱により温度が高くなると、熱膨張して発光部材４５を圧縮することがあり、磁界吸収部材４４は樹脂製なので、温度上昇を低減する必要がある。以上の構成により、発光部材４５の光漏れを遮光しつつ、第２の加熱コイル２５により発熱する漏れ磁界吸収部材４４の放熱を向上できるので、漏れ磁界吸収部材４４と発光部材４５の温度低減を同時に図ることができる。
【００５７】
また、スリット状の切り欠き部５４を第２の加熱コイル支持台４１の外円周に分散して配することで、磁界吸収部材４４や発光部材４５が熱膨張して、第２の加熱コイル支持台４１を圧することがあっても、発生する応力を吸収できる。
【００５８】
なお、本実施例ではファンユニット３２から遠い第２の加熱コイル２５とその周囲構成を記しているが、ファンユニット３２に近い第１の加熱コイル２４とその周囲構成が同様になっていても同様の効果を得ることができる。
【００５９】
【発明の効果】
以上のように、本発明によれば、加熱コイル支持台裏面外周の凹部により狭められた隙間を通過し加熱コイル裏面に達する送風力が得られ、加熱コイル上面側の温度センサーが強く冷却されることを避けながら、凹部の影響を無くす程度まで加熱コイル裏面からの冷却能力を確保することができる。
【図面の簡単な説明】
【図１】  本発明の第１の参考例における誘導加熱調理器の分解斜視図
【図２】  本発明の第１の参考例における誘導加熱調理器の（Ａ−Ａ方向）断面図
【図３】  本発明の第１の参考例における誘導加熱調理器の（Ｂ−Ｂ方向）断面図
【図４】  本発明の第１の実施例における誘導加熱調理器の断面図
【図５】  本発明の第２の実施例における誘導加熱調理器の要部断面図
【図６】  従来の誘導加熱調理器の分解斜視図
【図７】  従来の誘導加熱調理器の断面図
【符号の説明】
２１  本体
２４  第１の加熱コイル
２５  第２の加熱コイル
２９、３０  駆動回路ユニット
３１  制御回路ユニット
３２  ファンユニット
３３  吸気口
３４  排気口
３５  通気路
３７  コイル送風路
３９  コイル送風路出口の天面
４２  第２の加熱コイル支持台の外周裏面
４３  凹部
４４  漏れ磁界吸収部材
４５  発光部材
５３  壁面
５４  切り欠き部
【図１】
0003966052.tif 000002
【図２】
0003966052.tif 000003
【図３】
0003966052.tif 000004
【図４】
0003966052.tif 000005
【図５】
0003966052.tif 000006
【図６】
0003966052.tif 000007
【図７】
0003966052.tif 000008